(57)【特許請求の範囲】
【請求項１】
給水管および給湯管が接続され加熱された温水を貯湯する貯湯タンクを枠体内に備えた貯湯式温水器において、前記枠体の上部に、前記給水管および給湯管と建物側の給水配管および給湯配管とを接続するための上部給水用通し穴および上部給湯用通し穴を設けたと共に、前記枠体の下部に、前記給水管および給湯管と建物側の給水配管および給湯配管とを接続するための下部給水用通し穴および下部給湯用通し穴を設け、更に前記給水管および給湯管の端部の接続口を、枠体上下中央高さ位置に水平向きに配設し、前記枠体上下の各通し穴を上下対象位置にそれぞれ設けたことを特徴とする貯湯式温水器。
【発明の詳細な説明】
【０００１】
【発明の属する技術分野】
本発明は屋外に設置する貯湯式温水器に関するものである。
【０００２】
【従来の技術】
従来より、この種の電気温水器やヒートポンプ温水器などの屋外に設置する貯湯式温水器においては、給水配管の接続口および給湯配管の接続口または配管を引き込むための枠体に開口された通し穴は温水器本体の枠体の下側に一組設けられているものであった。
【０００３】
【発明が解決しようとする課題】
ところが、北海道などの寒冷地では、給水配管および給湯配管が建物の天井空間に配設されていることが多く、配管の接続口（または通し穴）が温水器本体の枠体の下側に設けられている従来の温水器を設置しようとする場合、図６に示すように建物からの給水配管および給湯配管を軒下から下方に延長し、そして配管の接続口（または通し穴）へ向けて折り返して配設しなければならないものであったので、延長配管が長いため部材代が多く発生して価格を上げてしまい、かつ、温水器の設置時の作業性が悪いものであったと共に、温水器本体の枠体外で外気にさらされている配管が長いために、冬季にあっては凍結するおそれが高いというものであった。
【０００４】
【課題を解決するための手段】
そこで、本発明は前記課題を解決するため、特にその構成を、給水管および給湯管が接続され加熱された温水を貯湯する貯湯タンクを枠体内に備えた貯湯式温水器において、前記枠体の上部に、前記給水管および給湯管と建物側の給水配管および給湯配管とを接続するための上部給水用通し穴および上部給湯用通し穴を設けたと共に、前記枠体の下部に、前記給水管および給湯管と建物側の給水配管および給湯配管とを接続するための下部給水用通し穴および下部給湯用通し穴を設け、更に前記給水管および給湯管の端部の接続口を、枠体上下中央高さ位置に水平向きに配設し、前記枠体上下の各通し穴を上下対象位置にそれぞれ設けたものとした。
【０００５】
これにより、建物側の給水配管および給湯配管が上方にある場合は、枠体上部の通し穴を用いて給水管および給湯管と接続し、逆に建物側の給水配管および給湯配管が下方にある場合は、枠体下部の通し穴を用いて給水管および給湯管と接続することができ、建物から温水器までの外気にさらされる配管を極力短くすることができる。
【０００９】
更に給水管および給湯管の接続口と枠体上下の通し穴の相対位置が前記接続口を中心として上下対象となるため、温水器の枠体内の給水管および給湯管から枠体上下の各通し穴までの配管を共通のものにして、上下反転して取り付け直すだけで上下どちらの通し穴にも対応させることができ、部材の共通化によるコストダウンおよび設置前の部材選択の手間を省くことができるものである。
【００１０】
【発明の実施の形態】
次に、本発明の第１の実施形態を図１、図２に基づいて説明する。
１は温水器本体の枠体であって、この枠体１内に高温の湯を貯める容量１５０リットルの貯湯タンク２を備えている。
【００１１】
３は前記貯湯タンク２に給水する内部給水管で、端部に接続口４を有すると共に、途中に設けられた減圧弁５で減圧された水が貯湯される。
【００１２】
６は前記貯湯タンク２内の湯または水を循環して加熱するヒートポンプ式の加熱器で、往き管７、戻り管８、および循環ポンプ（図示せず）から構成された循環回路で貯湯タンク２と接続されているものである。
なお、ここで前記加熱器６は温水器本体と別ユニットで構成されたヒートポンプ式のものに限られることはなく、例えば貯湯タンク２内で湯を直接加熱する電熱式ヒータや温水器本体と別ユニットで構成された電熱式ヒータユニットでもよいものである。
【００１３】
９は前記加熱器６で加熱されて貯湯タンク２に貯湯された湯を給湯する内部給湯管で、端部に接続口１０を有すると共に、貯湯タンク２の湯水の温度上昇による増加圧力を逃す圧力逃し弁１１が接続されている。
【００１４】
１２は前記加熱器６と電気的に接続された制御装置で、貯湯タンク２の外周上下に取り付けられた温度センサ１３、１４、１５の検知する温度により貯湯量を検出すると共に、貯湯量が少ないときには加熱器６へ貯湯タンク２内の湯水の加熱を指示するものである。
【００１５】
１６は温水器本体の枠体１を左右に分割して配管室１７を形成する仕切板で、この配管室１７内には前記内部給水管３、給水接続口４、減圧弁５、往き管７、戻り管８、内部給湯管９、給湯接続口１０、圧力逃し弁１１等の配管が配設されているものである。
【００１６】
１８は前記配管室１７を上下に分割して下部に配管接続室１９を形成する区画板で、前記配管接続室１９で前記往き管７、戻り管８の枠体内部配管と外部配管とが連結されるものである。
【００１７】
また、前記区画板１８には、下部給水用通し穴２０および下部給湯用通し穴２１とが開口されており、給水配管Ａおよび給湯配管Ｂが建物の下の方からでている場合にはこの各通し穴２０、２１を通して給水配管Ａおよび給湯配管Ｂを接続するものである。
【００１８】
また、前記枠体１の上部には、上部給水用通し穴２２および上部給湯用通し穴２３とが開口されていると共に、使用しない場合に開口を塞ぐ蓋体２４を有しており、給水配管Ａおよび給湯配管Ｂが建物の上の方からでている場合にはこの各通し穴２２、２３を通して給水配管Ａおよび給湯配管Ｂを接続するものである。
【００１９】
ここで、給水配管Ａおよび給湯配管Ｂが建物の下の方からでている場合には、図１に示すごとく、前記給水接続口４と給水配管Ａとを下部給水用通し穴２０を貫通して設けられる絶縁パイプＣを介して接続すると共に、前記給湯接続口１０と給湯配管Ｂとを下部給湯用通し穴２１を貫通して設けられる絶縁パイプＤを介して接続するものである。このとき、使用しない上部給水用通し穴２２および上部給湯用通し穴２３は蓋体２４により塞がれているため、雨水等の進入のおそれはない。
【００２０】
また、逆に給水配管Ａおよび給湯配管Ｂが建物の上の方からでている場合には、図２に示すごとく、前記給水接続口４と給水配管Ａとを上部給水用通し穴２２を貫通して設けられる絶縁パイプＥを介して接続すると共に、前記給湯接続口１０と給湯配管Ｂとを上部給湯用通し穴２３を貫通して設けられる絶縁パイプＦを介して接続するものである。なお、配管と通し穴２０、２１との隙間はゴム材等により閉塞することが好ましい。
【００２１】
ここで、前記絶縁パイプＣ、Ｄ、Ｅ、Ｆは温水器の設置前に予め建物の配管図等をチェックすることにより、設置する業者等が下部の通し穴２０、２１用の絶縁パイプＣおよびＤか、上部の通し穴２２、２３用の絶縁パイプＥおよびＤのどちらかを用意するようにすればよいものである。
【００２２】
このように、給水配管Ａおよび給湯配管Ｂを温水器に接続するための通し穴２０、２１、２２、２３を温水器の枠体１の上下にそれぞれ設けたので、建物の給水配管Ａおよび給湯配管Ｂが建物の上方あるいは下方のどちらに配設されていても、できるだけ短い延長配管で温水器と接続することができ、延長配管の部材が少なくてすむので余分な部材代を節約でき価格を抑えることができ、かつ配管作業も容易になって作業性が向上すると共に、外気にさらされる配管部分が少なくなるため冬季における凍結のおそれも減少する。
【００２３】
次に、本発明の第２の実施形態について、図３に基づいて説明する。
ここでは、先の第１の実施形態の絶縁パイプＣ、Ｄ、Ｅ、Ｆの代わりに、給水接続口４から下部給水用通し穴２０および上部給水用通し穴２２に分岐した分岐型の絶縁パイプＧと、給湯接続口１０から下部給湯用通し穴２１および上部給湯用通し穴２３に分岐した分岐型の絶縁パイプＨとが接続されているもので、各通し穴２０、２１、２２、２３は各絶縁パイプＧ、Ｈの端部の接続口４Ｇ、４Ｈ、１０Ｇ、１０Ｈで閉塞されているものである。
【００２４】
なお、使用しない側の各絶縁パイプＧ、Ｈの接続口（図３のように接続口４Ｈ、１０Ｇを給水配管Ａおよび給湯配管Ｂに接続した場合は接続口４Ｇ、１０Ｈ）はキャップ（図示せず）等で閉塞しておけばよく、また、各絶縁パイプＧ、Ｈの分岐点に三方弁や二方弁（共に図示せず）を設ければ、分岐点から使用しない側の接続口（図３のように接続口４Ｈ、１０Ｇを給水配管Ａおよび給湯配管Ｂに接続した場合は接続口４Ｇ、１０Ｈ）までの死に水をなくすこともできるものである。また、内部給水管３および内部給湯管９を枠体１の上下の通し穴２０、２１、２２、２３に直接分岐してもよいものであり、この場合は給水配管Ａおよび給湯配管Ｂと内部給水管３および内部給湯管９とを枠体１外で電気的に絶縁するようにすればよいものである。
【００２５】
この第２の実施形態によれば、建物の給水配管Ａおよび給湯配管Ｂが建物の上方あるいは下方のどちらに配設されていても、温水器枠体１の上部および下部に設けられた接続口２４、２５、２６、２７のいずれかのうち給水配管Ａおよび給湯配管Ｂに近い接続口を選んで接続するだけでよく、延長配管の部材が少なくてすむので余分な部材代を節約でき価格を抑えることができ、かつ配管作業もさらに容易になって作業性が向上すると共に、外気にさらされる配管部分が少なくなるため冬季における凍結のおそれも減少する。
【００２６】
次に、本発明の第３の実施形態について、図４に基づいて説明する。
ここでは、先の第１の実施形態における内部給水管３の端部の給水接続口４および内部給湯管９の端部の給湯接続口１０を枠体１の上下の中心高さ位置に水平向きで配置し、枠体１の上下対象位置に通し穴２０、２１、２２、２３を開口したものである。
【００２７】
そして、給水配管Ａおよび給湯配管Ｂが建物の下の方からでている場合には、Ｌ字型の絶縁パイプＩ、Ｊを逆Ｌ字向きで接続して下部給水用通し穴２０および下部給湯用通し穴２１を用いて給水配管Ａおよび給湯配管Ｂと内部給水管３および内部給湯管９とを接続し、また逆に給水配管Ａおよび給湯配管Ｂが建物の上の方からでている場合には、先ほどと同じＬ字型の絶縁パイプＩ、Ｊを正Ｌ字向きに接続し直して上部給水用通し穴２２および上部給湯用通し穴２３を用いて給水配管Ａおよび給湯配管Ｂと内部給水管３および内部給湯管９とを接続することができる。
【００２８】
この第３の実施形態によれば、給水配管Ａおよび給湯配管Ｂを温水器に接続するための通し穴２０、２１、２２、２３を温水器の枠体１の上下にそれぞれ設け、しかも内部の給水接続口４および給湯接続口１０を枠体１の上下の中心高さ位置に水平向きで配置したので、給水接続口４および給湯接続口１０から下部の各通し穴２０、２１への配管と、上部の各通し穴２２、２３への配管を共通化し反転して取り付け直すだけで上下どちらにも対応することができて部材の簡略化ができ、また建物の給水配管Ａおよび給湯配管Ｂが建物の上方あるいは下方のどちらに配設されていても、できるだけ短い延長配管で温水器と接続することができ、延長配管の部材が少なくてすむので余分な部材代を節約でき価格を抑えることができ、かつ配管作業も容易になって作業性が向上すると共に、外気にさらされる配管部分が少なくなるため冬季における凍結のおそれも減少する。
【００２９】
次に、本発明の第４の実施形態について、図５に基づいて説明する。
ここでは、先の第１の実施形態における区画板１８をなくし、枠体１そのものに下部給水用通し穴２０および下部給湯用通し穴２１を開口したものである。ここで、２８はこの温水器を支える支持脚である。また、上部給水用通し穴２２および上部給湯用通し穴２３は枠体１の天面に開口されると共に、そこに内部給水管３および内部給湯管９から直接分岐した上部給水接続口４ａおよび上部給湯接続口１０ａが設けられ、また配管室１７内で下向きに第１の実施形態と同様に給水接続口４および給湯接続口１０が設けられている。そして、建物側給水配管および給湯配管（図示せず）と接続する際に絶縁パイプ（図示せず）を介して接続すればよいものである。なお、上向きに開口している上部給水接続口４ａおよび上部給湯接続口１０ａは不使用時にはキャップ（図示せず）等をかぶせて雨水の進入を防ぐようにしておけばよい。また、上部給水接続口４ａおよび上部給湯接続口１０ｂと上部給水用通し穴２２および上部給湯用通し穴２３とは隙間なくはめ込まれているものであるが、例えばゴム材（図示せず）等により隙間を塞ぐようにしてもよい。
【００３０】
この第４の実施形態によれば、建物の給水配管および給湯配管が建物の上方あるいは下方のどちらに配設されていても、温水器枠体１の上部および下部に設けられた接続口４、１０、４ａ、１０ａのいずれかのうち給水配管および給湯配管に近い接続口を選んで接続するだけでよく、延長配管の部材が少なくてすむので余分な部材代を節約でき価格を抑えることができ、かつ配管作業もさらに容易になって作業性が向上すると共に、外気にさらされる配管部分が少なくなるため冬季における凍結のおそれも減少する。
【００３１】
以上のように、第１〜４の実施形態を通して本発明を説明してきたが、本発明はこれらの実施形態に限定されることなく、発明の要旨を変更しない範囲で種々の変形が可能である。例えば、下部給水用通し穴２０、下部給湯用通し穴２１は給水配管Ａおよび給湯配管Ｂが建物の下方から出ている場合に対応するために温水器枠体１の下部にあればよいもので、これら実施形態のように区画板１８に設けたものに限られることなく、また上部給水用通し穴２２、上部給湯用通し穴２３は給水配管Ａおよび給湯配管Ｂが建物の上方から出ている場合に対応するために温水器枠体１の上部にあればよいもので、温水器枠体１の天面や上部側面にあればよいものである。また、下部給水用通し穴２０および下部給湯用通し穴２１、上部給水用通し穴２２および上部給湯用通し穴２３はそれぞれ一つの開口部で兼用してもよいものである。
【００３２】
【発明の効果】
以上のように、請求項１の発明によれば、建物の水周りの配管が建物の上下どちらにあっても短い配管距離で温水器枠体に引き込むことができ設置時の作業性を向上することができると共に、外気にさらされる配管が少なくなることにより冬季における凍結のおそれが減少するものである。
【００３４】
更に前記請求項１の効果に加え、温水器の枠体内の給水管および給湯管から枠体上下の各通し穴までの配管を共通のものにして、上下反転して取り付け直すだけで上下どちらの通し穴にも対応でき、部材の共通化によるコストダウンおよび設置前の部材選択の手間を省くことができるものである
【図面の簡単な説明】
【図１】本発明の第１の実施形態の下部接続時の概略構成図。
【図２】本発明の第１の実施形態の上部接続時の概略構成図。
【図３】本発明の第２の実施形態の概略構成図。
【図４】本発明の第３の実施形態の概略構成図。
【図５】本発明の第４の実施形態の概略構成図。
【図６】従来例の設置時の概略構成図。
【符号の説明】
１  枠体
２  貯湯タンク
３  内部給水管
４  給水接続口
９  内部給湯管
１０  給湯接続口
２０  下部給水用通し穴
２１  下部給湯用通し穴
２２  上部給水用通し穴
２３  上部給湯用通し穴
Ａ  建物側給水配管
Ｂ  建物側給湯配管
【図１】
0004037625.tif 000002
【図２】
0004037625.tif 000003
【図３】
0004037625.tif 000004
【図４】
0004037625.tif 000005
【図５】
0004037625.tif 000006
【図６】
0004037625.tif 000007